(57)【要約】【課題】障子の開閉時に樹脂製の枠体と金属製のカバーの変位量の違いに起因して生じる異音の発生を効果的に防止できる建具を提供すること。【解決手段】躯体３に固定される枠体１０と、枠体１０に蝶番６を介して開閉可能に取り付けられる戸体（障子）２０と、を備える建具１であって、枠体１０のうち、吊元側に位置する樹脂製の吊元側縦枠１２と、吊元側縦枠１２にネジ（締結部材）９５により固定され、吊元側縦枠１２の屋外側を覆う吊元側金属カバー５２と、を備える。【選択図】図４
2018193801.tif 000002
【特許請求の範囲】
【請求項１】
躯体に固定される枠体と、
前記枠体に蝶番を介して開閉可能に取り付けられる障子と、
を備える建具であって、
前記枠体のうち吊元側に位置する樹脂製の吊元側縦枠と、
前記吊元側縦枠に締結部材により固定され、前記吊元側縦枠の屋外側を覆う吊元側金属カバーと、
を備える建具。
【請求項２】
前記締結部材は、前記吊元側縦枠の見付面に締結される請求項１に記載の建具。
【請求項３】
前記締結部材は、少なくともその１つが前記見付面における前記蝶番側で締結される請求項２に記載の建具。
【請求項４】
前記吊元側金属カバーは、
前記締結部材により前記吊元側縦枠に固定される金属製の第１カバー部材と、
前記締結部材が締結された部分を覆うように前記第１カバー部材に固定される金属製の第２カバー部材と、
を有する請求項１から３の何れかに記載の建具。
【請求項５】
前記吊元側縦枠の前記吊元側金属カバーに対向する部位と、前記吊元側金属カバーの前記吊元側縦枠に対向する部位と、がいずれも平面に形成される請求項１から４の何れかに記載の建具。
【請求項６】
前記吊元側縦枠は、中空部を有し、
前記中空部には前記締結部材を固定するための板状の固定部材が配置される請求項１から５の何れかに記載の建具。
【請求項７】
前記固定部材は、前記吊元側縦枠の補強芯材である請求項６に記載の建具。
【発明の詳細な説明】
【技術分野】
【０００１】
本発明は、枠体と障子を備える建具に関する。
【背景技術】
【０００２】
従来、建具の枠体に樹脂材料を用いたものが知られている。この種の建具を開示するものとして例えば特許文献１がある。特許文献１には、ほぼフラットな基枠の両側部から中央部の適宜位置まで被う一対の略Ｌ字形被覆部材と、それぞれの被覆部材の外側壁に長さ方向に設けられた係止突条と、この係止突条に対応する係止溝を両側壁に設けたチャンネル形戸当りから成る開き戸枠の合成樹脂枠体について記載されている。
【先行技術文献】
【特許文献】
【０００３】
【特許文献１】実開平７−２１９８３号公報
【発明の概要】
【発明が解決しようとする課題】
【０００４】
ところで、外観意匠や耐候性の向上等の観点から、樹脂製の枠体に対して金属製のカバーを取り付ける場合がある。樹脂製の枠体に対して金属製のカバーを固定する方法としては、嵌合構造を利用することが考えられる。しかし、樹脂と金属では外力に対する変位量が異なる。そのため、樹脂製の枠体と金属製のカバーを単純に組み付けただけでは、障子の開閉動作で伝わる力によって枠体とカバーがそれぞれ異なる変位量で変形し、枠体とカバーの接触部分で擦れが生じて異音が発生するおそれがあった。
【０００５】
本発明は、障子の開閉時に樹脂製の枠体と金属製のカバーの変位量の違いに起因して生じる異音の発生を効果的に防止できる建具を提供することを目的とする。
【課題を解決するための手段】
【０００６】
本発明は、躯体（例えば、後述の躯体３）に固定される枠体（例えば、後述の枠体１０）と、前記枠体に蝶番（例えば、後述の蝶番６）を介して開閉可能に取り付けられる障子（例えば、後述の戸体２０）と、を備える建具（例えば、後述の建具１）であって、前記枠体のうち吊元側に位置する樹脂製の吊元側縦枠（例えば、後述の吊元側縦枠１２）と、前記吊元側縦枠に締結部材（例えば、後述のカバーネジ９５）により固定され、前記吊元側縦枠の屋外側を覆う吊元側金属カバー（例えば、後述の吊元側金属カバー５２）と、を備える建具に関する。
【０００７】
前記締結部材は、前記吊元側縦枠の見付面（例えば、後述の見付面１２１ａ）に締結されることが好ましい。
【０００８】
前記締結部材は、少なくともその１つが前記見付面における前記蝶番側で締結されることが好ましい。
【０００９】
前記吊元側金属カバーは、前記締結部材により前記吊元側縦枠に固定される金属製の第１カバー部材（例えば、後述の第１カバー部材５２１）と、前記締結部材が締結された部分を覆うように前記第１カバー部材に固定される金属製の第２カバー部材（例えば、後述の第２カバー部材５２２）と、を有することが好ましい。
【００１０】
前記吊元側縦枠の前記吊元側金属カバーに対向する部位（例えば、後述の見付面１２１ａ）と、前記吊元側金属カバーの前記吊元側縦枠に対向する部位（例えば、後述の見付面５２１ｆ）と、がいずれも平面に形成されることが好ましい。
【００１１】
前記吊元側縦枠は、中空部（例えば、後述の中空部１２ａ）を有し、前記中空部には前記締結部材を固定するための金属製の固定部材（例えば、後述の補強芯材１２３、Ｌ字裏板１５２）が配置されることが好ましい。
【００１２】
前記固定部材は、前記吊元側縦枠の補強芯材（例えば、後述の補強芯材１２３）であることが好ましい。
【発明の効果】
【００１３】
本発明の建具によれば、障子の開閉時に樹脂製の枠体と金属製のカバーの変位量の違いに起因して生じる異音の発生を効果的に防止できる。
【図面の簡単な説明】
【００１４】
【図１】本発明の一実施形態に係る建具の正面図である。
【図２】本実施形態の建具の縦断面図である。
【図３】本実施形態の建具の横断面図である。
【図４】本実施形態の吊元側縦枠及びその周囲を示す拡大横断面図である。
【図５】本実施形態の第２カバー部材が取り付けられる前の第１カバー部材を模式的に示す拡大正面図である。
【図６】本実施形態の戸先側縦枠及びその周囲を示す拡大横断面図である。
【図７】変形例の吊元側縦枠及びその周囲を示す拡大横断面図である。
【図８】変形例の戸先側縦枠及びその周囲を示す拡大横断面図である。
【発明を実施するための形態】
【００１５】
以下、本発明の好ましい実施形態について、図面を参照しながら説明する図１は、本発明の一実施形態に係る建具１の正面図である。図１では、建具１を屋外側から見た様子が示されている。図２は、本実施形態の建具１の縦断面図であり、図１のＡ−Ａ線断面図である。図３は、本実施形態の建具１の横断面図であり、図１のＢ−Ｂ線断面図である。
【００１６】
まず、建具１の全体構成について説明する。図１に示すように、建具１は、躯体３に固定される枠体１０と、枠体１０の屋外側を覆う金属製カバー５０と、枠体１０に開閉可能に取り付けられる戸体（障子）２０と、枠体１０に対する戸体２０の開閉速度を調整するドアクローザ７と、を備える玄関ドアである。
【００１７】
枠体１０は、上枠１１、吊元側縦枠１２、戸先側縦枠１３及び下枠１４が矩形に枠組みされて構成される。図２及び図３に示すように、金属製カバー５０は、上枠１１に固定される上金属カバー５１と、吊元側縦枠１２に固定される吊元側金属カバー５２と、戸先側縦枠１３に固定される戸先側金属カバー５３と、を備える。
【００１８】
戸体２０は、吊元側縦枠１２に複数配置される蝶番６によって吊り込まれる。蝶番６は、吊元側縦枠１２の見込面１２ｆに固定される枠側羽根部６１と、戸体２０の吊元側端面に固定される戸体側羽根部６３と、を備える（図４参照）。戸体２０は、蝶番６を回転軸として閉鎖位置と開放位置の間で回転可能になっている。
【００１９】
戸体２０には、ドアハンドル１０１、上側錠１０２、下側錠１０３、リーダー１０４、制御ユニット（図示省略）等の機能部品が取り付けられる。ドアハンドル１０１は、ラッチ機構によって戸体２０を開閉する。リーダー１０４は、カードキー等の電子錠に対応する電子部品であり、制御ユニットに電気的に接続される。
【００２０】
ドアクローザ７は、戸体２０の屋内側に配置される。ドアクローザ７は、戸体２０上部に固定されており、リンク部材８を介して上枠１１の屋内側に接続されている。
【００２１】
まず、下枠１４の構成について説明する。図２に示すように、下枠１４は、屋外側金属部１４１と、屋内側金属部１４２と、ブリッジ１４３と、金属製下カバー１４４と、を備える。
【００２２】
屋外側金属部１４１は、アルミニウム合金等の金属材料の押出形材により構成され、下枠１４の屋外側に位置する。屋外側金属部１４１の屋内側にはブリッジ１４３を嵌合するための嵌合部１４１ａが形成される。
【００２３】
屋内側金属部１４２は、アルミニウム合金等の金属材料の押出形材により構成され、下枠１４の屋内側に位置する。屋内側金属部１４２の屋外側にはブリッジ１４３を嵌合するための嵌合部１４２ａが形成される。
【００２４】
屋内側金属部１４２は、その屋内側で上方に立ち上がる立ち上がり部１４６が形成される。立ち上がり部１４６は、その上部にゴム製の保護材１４７を嵌合する保護材嵌合部１４６ａが形成される。保護材１４７は、屋内側金属部１４２の損傷を防止するとともに結露を防止する。保護材１４７の上面は、その高さが屋内側のフロア９の高さに略一致するようになっている。また、立ち上がり部１４６における屋外側を向く部位には、気密材１４８を嵌合する気密材嵌合部１４６ｂが形成される。
【００２５】
ブリッジ１４３は、樹脂又はゴム等の断熱性を有する材料によって構成される。ブリッジ１４３は、その屋外側が屋外側金属部１４１の嵌合部１４１ａに嵌合されるとともに、屋内側が屋内側金属部１４２の嵌合部１４２ａに嵌合される。このブリッジ１４３によって屋外側金属部１４１と屋内側金属部１４２が連結される。
【００２６】
金属製下カバー１４４は、ステンレス鋼板等からなるカバーである。金属製下カバー１４４は、屋外側金属部１４１にビス１４５を介して固定される。金属製下カバー１４４によって屋外側金属部１４１の上面、屋外側の見付面及び下面の一部が覆われる。本実施形態の金属製下カバー１４４は、屋外側金属部１４１の上面を覆う部分がブリッジ１４３の上部まで延出している。そして、気密材１４８は、戸体２０が開放位置にある状態では金属製下カバー１４４に覆われていないブリッジ１４３の一部を覆う配置となっている。
【００２７】
上枠１１の構成について説明する。上枠１１は、側面視において上下方向に延びる屋外側部１１１と、見込方向に延びる屋内側部１１２と、が樹脂によって一体的に成形される。
【００２８】
また、上枠１１は、複数の中空部１１ａ，１１ｂ，１１ｃ，１１ｄを有する。中空部１１ａは、屋外側部１１１の上部に位置し、中空部１１ｂは屋外側部１１１の下部に位置する。中空部１１ｃは、中空部１１ｂの屋内側であって屋内側部１１２の内側に位置する。中空部１１ｄは、中空部１１ｃの屋内側であって屋内側部１１２の屋内側端部に位置する。中空部１１ｂには断熱材１１３が配置され、中空部１１ｃには断熱材１１４が配置される。中空部１１ｂは中空部１１ｃよりも大きな空間となっており、断熱材１１３も断熱材１１４に比べて大きな形状のものが配置される。
【００２９】
屋内側部１１２の下面には、下方に延び出るとともに気密材１１６を嵌合可能な延出片１１５が形成される。また、延出片１１５の屋内側には躯体ネジ９０が屋内側部１１２を下から上に貫通して躯体３に締結されている。躯体ネジ９０は、中空部１１ｄを貫通して躯体３に達している。
【００３０】
屋外側部１１１の屋外側の見付面には、上金属カバー５１を嵌合可能な嵌合部１１１ａが形成される。また、屋外側部１１１の上部には、躯体３に沿って上方向に延び出る延出片１１１ｂが形成される。
【００３１】
上金属カバー５１は、上枠１１の屋内側の見付面及び上面を覆う金属カバーである。上金属カバー５１は、上枠１１の嵌合部１１１ａに嵌合するカバー嵌合部５１ａと、上枠１１の延出片１１１ｂに沿って延びるカバー延出片５１ｂと、を備える。上金属カバー５１は、嵌合部１１１ａにカバー嵌合部５１ａが嵌合した状態で、カバー延出片５１ｂが上枠１１の延出片１１１ｂに見込方向で重なる。カバー延出片５１ｂ及び延出片１１１ｂが躯体ネジ９１により躯体３に共締めされる。
【００３２】
次に、吊元側縦枠１２及び吊元側金属カバー５２の構成について説明する。図４は、本実施形態の吊元側縦枠１２及びその周囲を示す拡大横断面図である。
【００３３】
図４に示すように、吊元側縦枠１２は、平面視において左右方向に延びる屋外側部１２１と、見込方向に延びる屋内側部１２２と、が樹脂によって一体的に成形される。本実施形態の吊元側縦枠１２は、その一部が屋外側に位置する構成となっている。屋外側部１２１の右側には戸体２０が位置し、左側には壁４が位置する。
【００３４】
また、吊元側縦枠１２は、複数の中空部１２ａ，１２ｂ，１２ｃ，１２ｄ，１２ｅを有する。屋外側部１２１の内部には、壁４側から戸体２０側に中空部１２ａ，中空部１２ｂが左右方向で並んでいる。一方、屋内側部１２２の内部には、屋外側から屋内側に中空部１２ｃ，中空部１２ｄ，中空部１２ｅが見込方向で並んでいる。中空部１２ｃは、屋外側部１２１の中空部１２ｂと見込方向で隣り合っている。従って、吊元側縦枠１２全体では、見込方向で屋外側から屋内側の順に中空部１２ｂ，中空部１２ｃ，中空部１２ｄ，中空部１２ｅが並んでおり、４つの空間に区画されている。
【００３５】
中空部１２ａには、吊元側縦枠１２の長手方向に沿って延びる補強芯材１２３が配置される。補強芯材１２３は、その断面形状が略コ字状に形成されており、コの字の開口側が戸体２０側を向くように中空部１２ａに配置される。即ち、補強芯材１２３は、中空部１２ａ内で壁４側に位置するとともに蝶番６側を向く面を有する第１片１２３ａと、中空部１２ａ内で見込方向屋内側に位置する第２片１２３ｂと、中空部１２ａ内で見込方向屋外側に位置する第３片１２３ｃと、を有する。
【００３６】
中空部１２ｂには、補強芯材１５１と、Ｌ字裏板１５２と、断熱材１６１と、が配置される。
【００３７】
補強芯材１５１は、吊元側縦枠１２の長手方向に沿って延びるように形成される。補強芯材１５１は、その断面形状が略コ字状に形成されており、コの字の開口側が屋外側を向くように中空部１２ｂに配置される。即ち、補強芯材１５１は、中空部１２ｂ内で戸体２０（後述の蝶番６の枠側羽根部６１）側に位置する戸体側片１５１ａと、中空部１２ｂ内で壁４側に位置する壁側片１５１ｂと、中空部１２ｂ内で見込方向屋内側に位置する屋内側片１５１ｃと、を有する。
【００３８】
Ｌ字裏板１５２は、補強芯材１５１の壁側片１５１ｂの先端に配置される。Ｌ字裏板１５２は、一方の片が壁側片１５１ｂの壁側面に対向するとともに、もう一方の片が見込方向で屋外側を向くように配置される。そして、見込方向で屋外側を向く片は、後述するカバーネジ９５が締結される部分として機能する。
【００３９】
本実施形態では、Ｌ字裏板１５２は、後述する吊元側金属カバー５２の第１カバー部材５２１とＬ字裏板１５２によって屋外側部１２１を見込方向で挟み込み、強度部材としても機能する。また、Ｌ字状に形成されているので、壁側片１５１ｂに対するＬ字裏板１５２の位置決めを容易かつ適切に行うことができる。なお、Ｌ字裏板１５２は、吊元側縦枠１２の長手方向に通しで形成されてもよいし、蝶番６の位置（カバーネジ９５の締結箇所）に応じて間欠的に複数の部材が配置される構成としてもよい。
【００４０】
断熱材１６１は、補強芯材１５１の内側に配置される。断熱材１６１は、吊元側縦枠１２の長手方向に沿って延びるように形成される。本実施形態では、断熱材１６１は、Ｌ字裏板１５２と補強芯材１５１に挟み込まれる配置となっている。
【００４１】
また、吊元側縦枠１２の中空部１２ｂには、蝶番６の枠側羽根部６１を固定するためのネジ等の締結部材（図示省略）が固定される裏板６２が配置される。裏板６２は、蝶番６の位置に応じて長手方向に間隔をあけて複数配置される。
【００４２】
また、屋外側部１２１の見付面１２１ａには凹部１２６が長手方向に間欠的に形成されており、この凹部１２６には隙間調整材１２７が配置される。屋外側部１２１の壁４側には、躯体３の見付面に沿って延びる延出片１３１が形成される。
【００４３】
次に、屋内側部１２２の構成について説明する。屋内側部１２２は、見込方向で屋外側部１２１に対して屋内側に位置する。屋外側部１２１と屋内側部１２２は、戸体２０側の側面が面一となっており、吊元側縦枠１２の見込面１２ｆを形成する。
【００４４】
中空部１２ｃには断熱材１６２が配置され、中空部１２ｄには断熱材１６３が配置される。中空部１２ｃ及び中空部１２ｄは、何れも中空部１２ｂよりも小さい空間となっており、断熱材１６２，１６３も断熱材１６１に比べてサイズの小さなものが用いられる。また、見込面１２ｆにおける中空部１２ｃに隣接する部分には戸体に当接する当接部１２８が固定される。
【００４５】
中空部１２ｅには躯体ネジ９８を挿通するための補助部材９９が配置される。屋内側部１２２の見込面１２ｆから躯体ネジ９８が挿通され、補助部材９９の内側を通って躯体３に締結される。これによって屋内側部１２２が躯体３に対して機械的に固定される。また、見込面１２ｆにおける中空部１２ｄに隣接する部分には、左右方向に延出する延出片１２２ａが設けられ、この延出片１２２ａには気密材１２９が配置される。
【００４６】
吊元側金属カバー５２は、屋外側部１２１の見付面１２１ａを覆うように配置される。本実施形態の吊元側金属カバー５２は、吊元側縦枠１２に固定される第１カバー部材５２１と、第１カバー部材５２１に固定される第２カバー部材５２２と、によって構成される。
【００４７】
第１カバー部材５２１は、屋外側部１２１の見付面５２１ｆを覆うとともに屋外側部１２１の壁４側の側面を覆うように形成される。第１カバー部材５２１の壁４側の屋内側端部には、屋外側部１２１の延出片１３１に沿って延びるカバー側延出片５２１ｄが形成される。
【００４８】
第１カバー部材５２１の見付面５２１ｆには、第２カバー部材５２２を嵌合するための左右一対の嵌合部５２１ａ，５２１ｂが設けられる。嵌合部５２１ａ，５２１ｂは、何れも上下方向で連続的に延びる形状となっている。
【００４９】
第１カバー部材５２１は、複数のカバーネジ９５によって吊元側縦枠１２に機械的に固定される。吊元側縦枠１２の見付面１２１ａに第１カバー部材５２１を配置した状態で、カバーネジ９５を左右方向で２箇所締結する。
【００５０】
左右方向で壁４側に締結されたカバーネジ９５ａは、第１カバー部材５２１の締結孔５２１ｇを通じて屋外側部１２１を貫通した後、中空部１２ａ内で補強芯材１２３に締結される。本実施形態では、屋外側部１２１の見付面１２１ａは、第１カバー部材５２１と補強芯材１２３によって見込方向で挟み込まれた状態となり、補強芯材１２３はカバーネジ９５を固定するための固定部材として機能するとともに強度部材として機能する。
【００５１】
左右方向で戸体２０側に締結されたカバーネジ９５ｂは、第１カバー部材５２１の締結孔５２１ｈを通じて屋外側部１２１を貫通した後、中空部１２ｂ内でＬ字裏板１５２に締結される。Ｌ字裏板１５２には、ネジ溝１５２ａが形成されており、このネジ溝１５２ａにより十分な締め付け長さが確保される。
【００５２】
また、中空部１２ａ内の補強芯材１２３は、屋外側部１２１とともに躯体ネジ９６によって躯体３側に締結固定される。補強芯材１２３の第２片１２３ｂには、躯体ネジ９６を締結するためのネジ孔１２３ｅが形成される。ネジ孔１２３ｅを通じて躯体ネジ９６は躯体３に達し、躯体３に補強芯材１２３を締結する。
【００５３】
図５を参照してネジ孔１２３ｅを通じた躯体３への躯体ネジ９６の締結方法について説明する。図５は、本実施形態の第２カバー部材５２２が取り付けられる前の第１カバー部材５２１を模式的に示す拡大正面図であり、図４のＣ−Ｃ線断面図である。なお、図５では第２カバー部材５２２等、他の部材の図示が省略されている。
【００５４】
本実施形態では、第１カバー部材５２１の屋外側の面には、補強芯材１２３の第２片１２３ｂに形成されるネジ孔１２３ｅに対応する位置に締結用孔５２１ｃが形成される。また、吊元側縦枠１２の屋内側部１２２における締結用孔５２１ｃに対応する位置にも締結用孔１２１ｂが形成される。更に、補強芯材１２３の第３片１２３ｃにも締結用孔５２１ｃに対応する位置に締結用孔１２３ｄが形成される。これらの３箇所の締結用孔５２１ｃ，１２１ｂ，１２３ｄは、何れもネジ孔１２３ｅに見込方向で対応する位置に円形に形成される。
【００５５】
締結用孔５２１ｃ，１２１ｂ，１２３ｄは、その大きさがネジ孔１２３ｅよりも大きくかつ躯体ネジ９６及び工具を差し込み可能に構成される。なお、本実施形態では、第１カバー部材５２１の締結用孔５２１ｃよりも補強芯材１２３の締結用孔１２３ｄの方が大きな形状に形成されているが、締結用孔５２１ｃ，１２１ｂ，１２３ｄの大小関係が限定されるわけではない。
【００５６】
各部材に形成される締結用孔５２１ｃ，１２１ｂ，１２３ｄにより、吊元側縦枠１２の中空部１２ａに補強芯材１２３が挿入されるとともに第１カバー部材５２１が取り付けられた状態でも、補強芯材１２３の第２片１２３ｂのネジ孔１２３ｅへの躯体ネジ９６の締結が可能になっている。締結用孔５２１ｃ，１２１ｂ，１２３ｄを通じてドライバー等の工具（図示省略）を差し込み、躯体ネジ９６をネジ孔１２３ｅに締結する作業を行う。この作業により、躯体ネジ９６は躯体３まで達し、躯体ネジ９６を介して補強芯材１２３及び吊元側縦枠１２が躯体３に固定される。
【００５７】
また、図４に示すように、第１カバー部材５２１は、そのカバー側延出片５２１ｄが屋外側部１２１の延出片１３１とともに躯体ネジ９７により躯体３に締結される。第１カバー部材５２１が吊元側縦枠１２に固定された状態で、第２カバー部材５２２が第１カバー部材５２１に固定される。また、第２カバー部材５２２の躯体ネジ９７の締結箇所には防水シート５２３が配置される。なお、躯体ネジ９６，９７は、何れも長手方向に複数個所締結される。
【００５８】
第２カバー部材５２２は、第１カバー部材５２１の嵌合部５２１ａに嵌合する嵌合部５２２ａと、嵌合部５２１ｂに嵌合する嵌合部５２２ｂと、を備える。第２カバー部材５２２は、その嵌合部５２２ａ，５２２ｂが第１カバー部材５２１の嵌合部５２２ａ，５２２ｂに嵌合した状態で、第１カバー部材５２１の見付面５２１ｆを覆う状態となる。これによってカバーネジ９５の頭部が第２カバー部材５２２によって隠される状態となる。
【００５９】
本実施形態の第２カバー部材５２２は、その戸体２０側に屋外側部１２１の見付面１２１ａに沿って延びる延出片５２２ｃを備える。延出片５２２ｃの先端部５２２ｄは、吊元側縦枠１２の見込面１２ｆよりも左右方向壁４側に位置している。これにより、蝶番６の枠側羽根部６１との干渉が避けられる。
【００６０】
また、延出片５２２ｃの先端部５２２ｄは、見込方向屋内側を向くように曲がっており、見込方向屋内側を向いている。即ち、延出片５２２ｃの先端部５２２ｄは、吊元側縦枠１２の見付面１２１ａに対向する状態となっている。また、延出片５２２ｃの基端側では、吊元側縦枠１２の見付面１２１ａとの間で見込方向の隙間が形成される。なお、本実施形態では、先端部５２２ｄの外側面は曲面になっている。
【００６１】
図６は、本実施形態の戸先側縦枠１３及びその周囲を示す拡大横断面図である。本実施形態の戸先側縦枠１３及び戸先側金属カバー５３は、吊元側縦枠１２及び吊元側金属カバー５２と左右対称の形状であり、略同様の構成となっている。戸先側縦枠１３及び戸先側金属カバー５３において、吊元側縦枠１２及び吊元側金属カバー５２と共通又は同様の構成には同じ符号を付してその説明を省略する。例えば、戸先側縦枠１３の中空部１２ｂには、蝶番６を固定するための裏板６２がない点や、戸先側縦枠１３の延出片１２２ａに支持される気密材１３９の形状等が吊元側縦枠１２と異なっている。
【００６２】
以上説明してきた上記実施形態によれば、以下のような効果を奏する。
躯体３に固定される枠体１０と、枠体１０に蝶番６を介して開閉可能に取り付けられる戸体（障子）２０と、を備える建具１であって、枠体１０のうち、吊元側に位置する樹脂製の吊元側縦枠１２と、吊元側縦枠１２にネジ（締結部材）９５により固定され、吊元側縦枠１２の屋外側を覆う吊元側金属カバー５２と、を備える。
【００６３】
これにより、吊元側金属カバー５２が樹脂製の吊元側縦枠１２にカバーネジ９５によって強固に機械的に固定されるので、戸体２０の開閉動作によって蝶番６を介して吊元側縦枠１２に外力が加わっても、吊元側縦枠１２と吊元側金属カバー５２の接合部分が擦れることに起因する異音の発生を効果的に防止できる。これによって、樹脂製の吊元側縦枠１２の屋外側を覆う吊元側金属カバー５２によって外観意匠性及び耐候性を向上させつつ、樹脂と金属の材料の違いによる異音の問題を解決できる。
本実施形態のようにドアクローザ７を備える構成では、ユーザがドアクローザ７に設定されている速度よりも早く戸体２０を開け閉めした場合、吊元側縦枠１２にドアクローザ７から大きな力が加わる場合がある。このような場合であっても、吊元側金属カバー５２が吊元側縦枠１２に強固に固定されているので、異音の発生を確実に防止できる。
【００６４】
また、本実施形態では、締結部材としてのカバーネジ９５は、吊元側縦枠１２の見付面１２１ａに締結される。
【００６５】
これにより、吊元側縦枠１２の見付方向の変位に対して吊元側金属カバー５２をより強固に固定することができる。従って、吊元側縦枠１２と吊元側金属カバー５２の見付方向の変位量のずれによって吊元側縦枠１２と吊元側金属カバー５２が擦れて異音が発生する事態をより効果的に防止できる。
【００６６】
また、本実施形態では、複数のカバーネジ９５のうち、カバーネジ９５ａが吊元側縦枠１２の見付面１２１ａにおける蝶番６（蝶番６近傍）側で締結される。
【００６７】
これにより、戸体２０から力が伝達される蝶番６側がより強固に固定されるので、吊元側縦枠１２と吊元側金属カバー５２の見付方向でのずれをより効果的に防いで、異音をより発生し難い状態にすることができる。
【００６８】
また、本実施形態では、吊元側金属カバー５２は、カバーネジ９５により吊元側縦枠１２に固定される金属製の第１カバー部材５２１と、カバーネジ９５が締結された部分を覆うように第１カバー部材５２１に固定される金属製の第２カバー部材５２２と、を有する。
【００６９】
これにより、カバーネジ９５の頭部を第２カバー部材５２２によって隠して外観意匠性をより向上させることができる。第１カバー部材５２１と第２カバー部材５２２の間には樹脂と金属のような変位量の違いがないので、外観意匠性の向上と異音の防止を実現できる。
【００７０】
また、本実施形態では、吊元側縦枠１２の吊元側金属カバー５２に対向する部位である見付面１２１ａと、吊元側金属カバー５２の吊元側縦枠１２に対向する部位である見付面５２１ｆと、がいずれも平面に形成される。
【００７１】
これにより、吊元側縦枠１２と吊元側金属カバー５２が線接触や点接触するような構造に比べて接触部分における力が分散されるので、異音の発生をより防止することができる。
【００７２】
また、本実施形態では、吊元側縦枠１２は、中空部１２ａを有し、中空部１２ａにはカバーネジ９５ａを固定するための金属製の補強芯材１２３が配置され、中空部１２ｂには金属製のＬ字裏板１５２が配置される。
【００７３】
これにより、補強芯材１２３によってカバーネジ９５ａが吊元側縦枠１２により強固に固定されるとともにＬ字裏板１５２によってカバーネジ９５ｂが強固に固定される。
本実施形態では金属製の第１カバー部材５２１と補強芯材１２３又は第１カバー部材５２１とＬ字裏板１５２によって樹脂性の吊元側縦枠１２が見込方向で挟み込まれることになり、剛性が効果的に向上する構成となっている。
【００７４】
また、本実施形態では、補強芯材１２３が、カバーネジ９５ａを固定する固定部材として機能する。
【００７５】
これにより、カバーネジ９５ａを強固に固定する構造と吊元側縦枠１２の剛性を向上させる部品を共用することができ、吊元側縦枠１２の強度向上とともに異音のより効果的な防止を実現できる。
【００７６】
以上、本発明の好ましい実施形態について説明したが、本発明は、上述の実施形態に制限されるものではなく、適宜変更が可能である。
【００７７】
図７及び図８を参照して上記実施形態の変形例について説明する。図７は、変形例の吊元側縦枠２１２及びその周囲を示す拡大横断面図である。図８は、変形例の戸先側縦枠２１３及びその周囲を示す拡大横断面図である。なお、上記実施形態と共通及び同様の構成には同じ符号を付してその説明を省略する。
【００７８】
図７及び図８に示すように、吊元側縦枠２１２及び戸先側縦枠２１３のそれぞれの中空部１２ａから補強芯材１２３及び躯体ネジ９６を省略する構成とすることもできる。また、上記実施形態と変形例を組み合せることもできる。例えば、上記実施形態の図４に示すように、吊元側縦枠１２には補強芯材１２３及び躯体ネジ９６が配置される一方、図８の変形例に示すように、戸先側縦枠２１３は補強芯材１２３及び躯体ネジ９６がない構成とすることもできる。
【００７９】
上記実施形態では、補強芯材１２３が吊元側縦枠１２の長手方向に通しで配置される構成であるが、この構成に限定されない。例えば、蝶番６の位置に対応して複数の部材を間欠的に配置するように、補強芯材１２３を構成することもできる。
【００８０】
上記実施形態では、蝶番６側の中空部１２ｂに配置される補強芯材１５１とＬ字裏板１５２が別体である例を説明したが、この構成に限定されない。例えば、補強芯材１５１とＬ字裏板１５２を一体的な部材として形成することもできる。即ち、蝶番６側のカバーネジ（締結部材）９５が締結される固定部材が補強芯材である構成としてもよい。
【符号の説明】
【００８１】
１  建具
３  躯体
６  蝶番
１０  枠体
１２  吊元側縦枠
２０  戸体（障子）
５２  吊元側金属カバー
９５  カバーネジ（締結部材）
【図１】
2018193801.tif 000003
【図２】
2018193801.tif 000004
【図３】
2018193801.tif 000005
【図４】
2018193801.tif 000006
【図５】
2018193801.tif 000007
【図６】
2018193801.tif 000008
【図７】
2018193801.tif 000009
【図８】
2018193801.tif 000010